(57)【要約】【課題】コンパクトな構成を有し、レンズを駆動可能なアクチュエータを搭載した撮像装置を提供する。【解決手段】比較的薄いドライバ回路４０を、筐体を構成する下筒２１Ａの外表面（側面）に沿って配置することで、撮像装置５０の寸法を抑えることができる。又、ドライバ回路４０と支持平板５２ａとは、フレキシブル基板４１により電気的に接続されているため、ドライバ回路４０を下筒２１Ａの外表面に沿って任意の位置に配置したときにも、支持平板５２ａ側よりフレキシブル基板４１を介して電力の供給を行うことができる。【選択図】図４
2007150988.tif 000002
【特許請求の範囲】
【請求項１】
基板上に配置された撮像素子と、
前記撮像素子の周囲に配置された筐体と、
前記筐体に対して光軸方向に移動可能な可動レンズを少なくとも１つ含む撮影レンズと、
前記可動レンズを移動させるアクチュエータと、
前記アクチュエータを駆動するための駆動用回路と、を有し、
前記駆動用回路は、前記筐体の外表面に沿って配置され、前記駆動用回路と前記基板とは、フレキシブル基板により接続されていることを特徴とする撮像装置。
【請求項２】
前記駆動用回路は、前記筐体の側面に形成された凹部内に配置されていることを特徴とする請求項１に記載の撮像装置。
【請求項３】
前記アクチュエータに電力を供給するための配線は、前記フレキシブル基板に接続されていることを特徴とする請求項１又は２に記載の撮像装置。
【請求項４】
前記フレキシブル基板の外方に支持部材を配置したことを特徴とする請求項１〜３のいずれかに記載の撮像装置。
【請求項５】
光軸方向に見たときに、前記撮像素子の各辺を跨いだワイヤにより、前記基板と前記撮像素子との間で電気的接続が行われており、前記ワイヤの数が最も少ない辺に近接する前記筐体の外表面に沿って前記駆動用回路が配置されていることを特徴とする請求項１〜４のいずれかに記載の撮像装置。
【発明の詳細な説明】
【技術分野】
【０００１】
本発明は、撮像装置に関し、例えばＣＣＤ型イメージセンサあるいはＣＭＯＳ型イメージセンサ等の固体撮像素子を用いた撮像装置などに用いられると好適な撮像装置に関する。
【背景技術】
【０００２】
近年、ＣＣＤ（Ｃｈａｒｇｅ  Ｃｏｕｐｌｅｄ  Ｄｅｖｉｃｅ）型あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の固体撮像素子を用いた撮像装置の高性能化に伴い、オートフォーカス機構（以降ＡＦ機構という）を備えた撮像装置が搭載された携帯電話が普及しつつある。このような撮像装置の例を非特許文献１に示す。
【非特許文献１】西村  秀年、他６名「オートフォーカス機能付き１／２．７型２メガピクセルカメラモジュール  ＬＺＯＰ３７３１」、２００４年４月、シャープ技報、［平成１７年１１月２５日検索］、＜ＵＲＬ：www.sharp.co.jp/corporate/rd/23/pdf/88-18.pdf ＞
【発明の開示】
【発明が解決しようとする課題】
【０００３】
ところで、１枚もしくは複数枚のレンズを光軸方向に移動させるためには、アクチュエータが必要となる。ここで、一般的なボイスコイルモータなどの場合、ドライバ回路を介して定常電流が与えられることとなる。かかるドライバ回路は、例えば撮像素子が配置された基板の周囲もしくは裏面などに設けられることが多い。しかしながら、ドライバ回路は比較的大きいため、撮像素子が配置された基板の周囲もしくは裏面などに設けると、撮像装置の外形が大きくなるという問題がある。
【０００４】
本発明は、かかる従来技術の問題点に鑑みてなされたものであり、コンパクトな構成を有し、レンズを駆動可能なアクチュエータを搭載した撮像装置を提供することを目的とする。
【課題を解決するための手段】
【０００５】
請求項１に記載の撮像装置は、
基板上に配置された撮像素子と、
前記撮像素子の周囲に配置された筐体と、
前記筐体に対して光軸方向に移動可能な可動レンズを少なくとも１つ含む撮影レンズと、
前記可動レンズを移動させるアクチュエータと、
前記アクチュエータを駆動するための駆動用回路と、を有し、
前記駆動用回路は、前記筐体の外表面に沿って配置され、前記駆動用回路と前記基板とは、フレキシブル基板により接続されていることを特徴とする。
【０００６】
本発明によれば、例えばドライバ回路のような前記駆動用回路は、比較的薄型であるので、前記筐体の外表面に沿って配置することで、撮像装置全体の寸法を抑えることができる。又、前記駆動用回路と前記基板とは、フレキシブル基板により接続されているため、前記駆動用回路を前記筐体の外表面に沿って任意の位置に配置したときにも、前記基板側より前記フレキシブル基板を介して電力の供給を行うことができる。なお、「駆動用回路」とは、アクチュエータを駆動するための回路をいい、必ずしもドライバ回路に限られない。
【０００７】
請求項２に記載の撮像装置は、請求項１に記載の発明において、前記駆動用回路は、前記筐体の側面に形成された凹部内に配置されていることを特徴とするので、例えば撮像装置を携帯電話などに搭載した場合に問題となる高さ方向の寸法を維持しつつ、光軸直交方向の寸法を抑制できる。
【０００８】
請求項３に記載の撮像装置は、請求項１又は２に記載の発明において、前記アクチュエータに電力を供給するための配線は、前記フレキシブル基板に接続されていることを特徴とするので、配線の簡略化を行える。
【０００９】
請求項４に記載の撮像装置は、請求項１〜３のいずれかに記載の発明において、前記フレキシブル基板の外方に支持部材を配置したことを特徴とするので、前記フレキシブル基板の剛性を確保し、また保護を図ることができる。
【００１０】
請求項５に記載の撮像装置は、請求項１〜４のいずれかに記載の発明において、光軸方向に見たときに、前記撮像素子の各辺を跨いだワイヤにより、前記基板と前記撮像素子との間で電気的接続が行われており、前記ワイヤの数が最も少ない辺に近接する前記筐体の外表面に沿って前記駆動用回路が配置されていることを特徴とするので、前記ワイヤと前記駆動用回路との干渉を回避できる。なお、「最も少ない数」は、ゼロを含む。
【発明の効果】
【００１１】
本発明によれば、コンパクトな構成を有し、レンズを駆動可能なアクチュエータを搭載した撮像装置を提供することができる。
【発明を実施するための最良の形態】
【００１２】
以下、本発明の実施の形態を図面に基づいて説明する。図１は、本実施の形態にかかる撮像装置を含む撮像装置５０の斜視図であり、図２は、図１の撮像装置５０を矢印IIで示す方向に見た図であるが、左半分は金属板４３を削除して（一点鎖線で描画）示している。図３は、図２の構成を矢印III-III線で切断して矢印方向に見た図であり、図４は、図２の構成を矢印IV-IV線で切断して矢印方向に見た図である。
【００１３】
図４において、上記撮像装置５０は、光電変換部５１ａを有する固体撮像素子としてのＣＭＯＳ型イメージセンサ５１と、このイメージセンサ５１の光電変換部５１ａに被写体像を撮像させる撮像レンズとしての撮像レンズ１０と、イメージセンサ５１と撮像レンズ１０との間に配置されたＩＲカットフィルタＦと、イメージセンサ５１を保持すると共にその電気信号の送受を行う外部接続用端子５４（図１）を有する基板５２と、撮像レンズを支持する組立筐体２０と、フォーカシングレンズを駆動するアクチュエータ（フォーカスアクチュエータともいう）３０とを備え、これらが一体的に形成されている。尚、本撮像装置５０の光軸方向高さΔは、１０ｍｍ以下である。
【００１４】
上記イメージセンサ５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサ５１の受光側の平面の外縁近傍には、多数のパッド（図示略）が配置されており、ワイヤＷを介して基板５２に接続されている。イメージセンサ５１は、光電変換部５１ａからの信号電荷をデジタルＹＵＶ信号等の画像信号等に変換し、ワイヤＷを介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、撮像素子は上記ＣＭＯＳ型のイメージセンサに限定されるものではなく、ＣＣＤ等の他のものを使用しても良い。
【００１５】
基板５２は、その一平面上で上記イメージセンサ５１及び外筒２１を支持する支持平板５２ａと、支持平板５２ａに一端部が接続されたフレキシブル基板５２ｂ（図１）とを備えている。
【００１６】
支持平板５２ａは、表面に設けられた多数の信号伝達用パッドを有しており、これが前述したイメージセンサ５１からのワイヤＷと接続され、且つフレキシブル基板５２ｂと接続されている。なお、図３に示すように光軸方向から見て、イメージセンサ５１は矩形形状を有しており、その各辺を跨ぐようにしてワイヤＷが配置されているが、図３で示す下方の辺にはワイヤＷが配置されておらず（ワイヤＷの数＝０）、この辺に最も隣接する下筒２１Ａの外壁に、くぼみ２１ｂ、２１ｃ（後述）が設けられているので、ワイヤＷの干渉は回避される。
【００１７】
フレキシブル基板５２ｂは、上記の如くその一端部が支持平板５２ａと接続され、その他端部に設けられた外部接続用端子５４を介して支持平板５２ａと外部回路（例えば、撮像装置を実装した上位装置が有する制御回路）とを接続し、外部回路からイメージセンサ５１を駆動するための電圧やクロック信号の供給を受けたり、また、デジタルＹＵＶ信号を外部回路へ出力したりすることを可能とする。さらに、フレキシブル基板５２ｂの長手方向の中間部が可撓性又は変形容易性を備え、その変形により、支持平板５２ａに対して外部出力端子の向きや配置に自由度を与えている。
【００１８】
遮光性部材からなる組立筐体２０は、イメージセンサ５１を囲うようにして配置され基板５２に対して接着剤Ｂを用いて下端が接着されてなる光軸直交方向の断面が略矩形状の下筒２１Ａと、下筒２１Ａの上部に取り付けられた同じく矩形状の上筒２１Ｂとからなる外筒２１を含む。
【００１９】
図３に示すように、下筒２１Ａは、光軸直交方向の断面が略矩形状であるが、完全な矩形状ではなく、１側面（図３の下方側面）が階段状にくぼんだ形状を有する。ここで１段目のくぼみを２１ｂとし、その中央の２段目のくぼみを２１ｃとする。支持平板５２ａ上に接着されるくぼみ２１ｂ、２１ｃの下部は開放しているが、上部は上壁２１ｄにより遮蔽されている（図４参照）。これにより組立筐体２０に対して外部の光や異物が侵入しないように隔離されたくぼみ２１ｃ内には、矩形板状のドライバ回路４０がくぼみ２１ｃの底面（下筒２１Ａの外側面）に沿って配置されている。但し、上壁２１ｄは必ずしも設ける必要はない。なお、アクチュエータ３０を駆動するためのドライバ回路４０は、くぼみ２１ｃに接着されていて良いが、例えばくぼみ２１ｃに一対の爪部を設け、それにより対向する側面を把持されるようにしてもよい。
【００２０】
支持平板５２ａに一端を電気的に接続されたフレキシブル基板４１は、図４に示すように、Ｌ字状に折り曲げられ、くぼみ２１ｂ内に装着される。この状態で、ドライバ回路４０の電気端子は、ボールハンダ４２によりフレキシブル基板４１の裏面側の端子部に電気的に接続されている。更に、フレキシブル基板４１の表面側には、ドライブ回路４０からの電流をアクチュエータ３０へ供給するためのプラス端子部４１＋と、マイナス端子部４１−とが、金属板４３から離れて設けられている（図２参照）。図３に示すように光軸方向に見たときに、ドライバ回路４０は、それに隣接する下筒２１Ａの２つの角を結んだ直線に対して光軸寄りに配置されているが、必ずしも光軸寄りに設ける必要はなく、例えば組立筐体２０の角部に設けても良い。
【００２１】
更に、下筒２１Ａに、鉄などの金属板４３の一端が固定されている。支持部材である金属板４３は、フレキシブル基板４１の外側で、それと同様にＬ字状に折り曲げられた状態で、くぼみ２１ｂを覆うようにして装着される。金属板４３は、撓みやすいフレキシブル基板４１のＬ字状の形状を維持する機能と、組み付け時などに撮像装置５０を周囲部品に不用意に衝接させた場合などにおいて、フレキシブル基板４１及びドライバ回路４０の保護を図る機能とを有する。なお、金属板４３とフレキシブル基板４１とは、少なくとも部分的に接着されていて良いが、互いに絶縁状態となっている。
【００２２】
図４において、下筒２１Ａの内周から光軸直交方向に延在するフランジ部２１ａには、ＩＲカットフィルタＦが取り付けられている。
【００２３】
組立筐体２０に対して移動可能に配置された移動筒２２は、大円筒部２２ａと、その上端に連結された小円筒部２２ｂと、その上端に形成された小フランジ部２２ｃと、大円筒部２２ａと小円筒部２２ｂとを連結する大フランジ部２２ｄと、大円筒部２２ａの下端を塞ぐようにして接着される保持部材２２ｅとを有し、物体側から第１レンズＬ１，第２レンズＬ２，第３レンズＬ３，第４レンズＬ４の順序で、これらを固定的に内包保持している。小フランジ部２２ｃの中央開口が開口絞りＳとなっている。
【００２４】
第１レンズＬ１のフランジ部Ｌ１ｆは、第２レンズＬ２のフランジ部Ｌ２ｆの上部を内包するようにして突き当て嵌合している。又、上部と下部とで外径が異な第３レンズＬ３のフランジ部Ｌ３ｆは、その上部が第２レンズＬ２のフランジ部Ｌ２ｆの下部を内包するようにして突き当て嵌合している。第１レンズＬ１と第２のレンズＬ２の外径は、第３レンズＬ３の外径より小さくなっている。従って、第１レンズＬ１を大フランジ部２２ｄに向けるようにして、レンズＬ１〜Ｌ３を移動筒２２内に組み付けたとき、移動筒２２に対するレンズの光軸（及び光軸方向の相対位置）は、小円筒部２２ｂの内周面と第３レンズＬ３のフランジ部Ｌ３ｆの上部外径との突き当て嵌合により精度良く位置決めされ、且つフランジ部同士の嵌合によって、第３レンズＬ３の光軸と、第１レンズＬ１と第２のレンズＬ２の光軸が精度良く位置決めされることとなる。
【００２５】
一方、最像側レンズである第４レンズＬ４のフランジ部Ｌ４ｆは、第３レンズＬ３のフランジ部Ｌ３ｆの下部に対して内包されるように突き当て嵌合しているので、それにより移動筒２２に対する第４レンズＬ４の光軸の位置決めを精度良く行える。保持部材２２ｅは、第４レンズＬ４のフランジ部Ｌ４ｆの下面に取り付けられている。なお、以上の例に限らず、レンズＬ１〜Ｌ４を外径が同一のレンズ筒内に収容し、その外方にアクチュエータを配置するようにしても良い。
【００２６】
レンズＬ１〜Ｌ３の光軸直交外方には、円筒状のアクチュエータ３０が配置されている。アクチュエータ３０は、大円筒部２２ａの上端に取り付けられ光軸方向に延在するコイル３３と、上筒２１Ｂの上方においてコイル３３を内包するように配置された磁石３２と、磁石３２を支持すると共に、コイル３３の内周までを覆うようにして、上筒２１Ｂに下端を取り付けられたヨーク３１とからなっている。なお、磁石３２を大円筒部２２ａに取り付けて、コイル３３を上筒２１Ｂに取り付けても良い。
【００２７】
径の異なるドーナツ円板同士を連結位置の位相をずらせて連結した形状のばね部材２７は、その外周側を上筒２１Ｂと下筒２１Ａとの間に挟んで固定し、その内周側を保持部材２２ｅの下面に固定している。一方、ばね部材２７に類似の形状を有するばね部材２８は、その外周側をヨーク３１の上面に固定し、その内周側をフランジ部材２２ｃの上面に固定している。ばね部材２７，２８は、レンズＬ１〜Ｌ４が光軸方向に一体的に移動することに応じて付勢力を発生するようになっている。
【００２８】
アクチュエータ３０のコイル３３のプラス端子は、大円筒部２２ａ及び保持部材２２ｅの外壁に形成された溝に沿って延在する配線Ｈ１＋を介してばね部材２７に接続されている。更に、ばね部材２７は、上筒２１Ｂと下筒２１Ａとの間を通って外部へと至る配線Ｈ２＋の一端に接続されている。配線Ｈ２＋の他端は、下筒２１Ａのくぼみ２１ｂ内で、フレキシブル基板４１のプラス端子部４１＋にハンダ付けされている（図２参照）。なお、上記の例では、ばね部材２７に、アクチュエータ３０のプラス側配線（Ｈ１＋、Ｈ２＋）を接続し、ばね部材２８に、マイナス側配線（Ｈ１−、Ｈ２−）を接続するようにしているが、例えばばね部材２７（又は２８）を２つに分割して互いに絶縁し、絶縁された各分割部に対して、プラス側配線（Ｈ１＋、Ｈ２＋）、又はマイナス側配線（Ｈ１−、Ｈ２−）を接続するようにしても良い。
【００２９】
又、コイル３３のマイナス端子は、移動筒２２の外壁を延在する配線Ｈ１−を介してばね部材２８に接続されている。更に、ばね部材２８は、ヨーク３１の外壁を延在するＨ２−の一端に接続されており、配線Ｈ２−の他端は、くぼみ２１ｂ内で、フレキシブル基板４１のプラス端子部４１−にハンダ付けされている（図２参照）。ボイスコイルモータの駆動原理は良く知られているので省略するが、ドライバ回路４０より、フレキシブル基板４１，配線Ｈ２＋、Ｈ２−、ばね部材２７，２８，配線Ｈ１＋、Ｈ１−を介してコイル３３に電力を供給することで発生する磁力により、磁石３２に対してコイル３３を、供給された電力に応じて変位させることができるものである。
【００３０】
撮像レンズ１０は、物体側より順に、開口絞りＳ、正の屈折力を有し物体側に凸面を向けた第１レンズＬ１、負の屈折力を有する第２レンズＬ２，正の屈折力を有する第３レンズＬ３、負の屈折力を有する第４レンズＬ４とを有している。本実施の形態では、レンズＬ１、Ｌ２、Ｌ３、Ｌ４がフォーカシングレンズ（可動レンズともいう）を構成するが、レンズＬ３，Ｌ４に比べ、レンズＬ１、Ｌ２の外径を小さくしているため、この外径差を利用して、大型のアクチュエータ３０を搭載できるようになっている。
【００３１】
この撮像レンズ１０は、開口絞りＳ及び各レンズＬ１、Ｌ２、Ｌ３、Ｌ４を光学系として、固体撮像素子に対して被写体像の結像を行うためのものである。開口絞りＳは、撮像レンズ全系のＦナンバーを決定する部材である。 
【００３２】
撮像レンズ１０とイメージセンサ５１との間において外筒２１のフランジ部２１ａに保持されたＩＲカットフィルタＦは、例えば略矩形状や円形状に形成された部材である。
【００３３】
さらに、第１レンズＬ１と第２レンズＬ２の間、第２レンズＬ２と第３レンズＬ３との間、第３レンズＬ３と第４レンズＬ４との間に、遮光マスクＳＭが配置されており、それにより固体撮像素子に近いレンズＬ４有効径の外側に不要光が入射することを防止し、ゴーストやフレアの発生を抑えることができる。
【００３４】
本実施の形態によれば、比較的薄いドライバ回路４０を、筐体を構成する下筒２１Ａの外表面（側面）に沿って配置することで、撮像装置５０の寸法を抑えることができる。又、ドライバ回路４０と支持平板５２ａとは、フレキシブル基板４１により電気的に接続されているため、ドライバ回路４０を下筒２１Ａの外表面に沿って任意の位置に配置したときにも、支持平板５２ａ側よりフレキシブル基板４１を介して電力の供給を行うことができる。
【００３５】
上述した撮像装置５０の使用態様について説明する。図５は、撮像装置５０を携帯端末としての携帯電話機１００に装備した状態を示す図である。また、図６は携帯電話機１００の制御ブロック図である。
【００３６】
撮像装置５０は、例えば、撮像レンズにおける外筒２１の物体側端面が携帯電話機１００の背面（液晶表示部側を正面とする）に設けられ、液晶表示部の下方に相当する位置になるよう配設される。
【００３７】
撮像装置５０の外部接続用端子５４は、携帯電話機１００の制御部１０１と接続され、輝度信号や色差信号等の画像信号を制御部１０１側に出力する。
【００３８】
一方、携帯電話機１００は、図６に示すように、各部を統括的に制御すると共に、各処理に応じたプログラムを実行する制御部（ＣＰＵ）１０１と、番号等をキーにより支持入力するための入力部６０と、所定のデータの他に撮像した画像や映像等を表示する表示部７０と、外部サーバとの間の各種清報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０により撮像データ等を一時的に格納する作業領域として用いられる及び一時記憶部（ＲＡＭ）９２とを備えている。
【００３９】
携帯電話機１００を把持する撮影者が、被写体に対して撮像装置５０の撮像レンズ１０の光軸を向けると、イメージセンサ５１に画像信号が取り込まれるが、例えば像面ＡＦ処理などを行うことで、ピントズレを検出できる。制御部１０１は、このピントズレを解消する方向にレンズＬ１〜Ｌ４を駆動するように、支持平板５２ａからフレキシブル基板４１を介してドライバ回路４０に指令を送る。すると、ドライバ回路４０は、かかる指令に応じた電流を生成して、配線Ｈ１＋、Ｈ２＋、Ｈ１−、Ｈ２−を介してコイル３３に供給する。このとき、磁石３２の周囲に配置されたヨーク３１により磁束密度が高められ、効率よく電力を磁力に変換できる。これにより発生した磁力と、変形したばね部材２７，２８の付勢力とを釣り合わせることにより、移動筒２２と共に最適な合焦位置にレンズＬ１〜Ｌ４を移動させ且つ保持することができるので、適切なオートフォーカス動作を実現できる。なお、電力供給の中断により、アクチュエータ３０の駆動力が消失すれば、移動筒２２は元の位置へと復帰する。
【００４０】
所望のシャッタチャンスで、図５に示すボタンＢＴを撮影者が押すことでレリーズが行われ、画像信号が撮像装置５０に取り込まれることとなる。撮像装置５０から入力された画像信号は、上記携帯電話機１００の制御系に送信され、記憶部９２に記憶されたり、或いは表示部７０で表示され、さらには、無線通信部８０を介して映像情報として外部に送信されることとなる。
【００４１】
以上、本発明を実施の形態を参照して説明してきたが、本発明は上記実施の形態に限定して解釈されるべきではなく、適宜変更・改良が可能であることはもちろんである。例えば、ドライバ回路４０は、組立筐体２０の上面（被写体側面）にそって配置されていても良い。又、金属板４３を設ける代わりに、下筒２１Ａの側壁を２重として、その間にドライバ回路４０を配置するようにしても良い。可動レンズはレンズＬ１〜Ｌ４のいずれか１枚以上であれば良く、更にレンズ総数は４枚に限られない。
【図面の簡単な説明】
【００４２】
【図１】本実施の形態にかかる撮像装置５０の斜視図である。
【図２】図１の撮像装置５０を矢印IIで示す方向に見た図である。
【図３】図２の構成を矢印III-III線で切断して矢印方向に見た図である。
【図４】図２の構成を矢印IV-IV線で切断して矢印方向に見た図である。
【図５】撮像装置５０を携帯端末としての携帯電話機１００に装備した状態を示す図である。
【図６】携帯電話機１００の制御ブロック図である。
【符号の説明】
【００４３】
１０ 撮像レンズ
２０ 組立筐体
２１ 外筒
２１Ａ 下筒
２１Ｂ 上筒
２１ａ フランジ部
２１ｂ、２１ｃ  くぼみ
２１ｄ 上壁
２２ 移動筒
２２ａ 大円筒部
２２ｂ 小円筒部
２２ｃ 小フランジ部
２２ｄ 大フランジ部
２２ｅ 保持部材
２７ ばね部材
２８ ばね部材
３０ アクチュエータ
３１ ヨーク
３２ 磁石
３３ コイル
４０ ドライバ回路
４１ フレキシブル基板
４１＋ プラス端子部
４１− マイナス端子部
４２ ボールハンダ
４３ 金属板
５０ 撮像装置
５１ イメージセンサ
５１ａ 光電変換部
５２ 基板
５２ａ 支持平板
５２ｂ フレキシブル基板
５４ 外部接続用端子
６０ 入力部
７０ 表示部
８０ 無線通信部
９２ 記憶部
１００ 携帯電話機
１０１ 制御部
Ｂ 接着剤
ＢＴ ボタン
Ｆ ＩＲカットフィルタ
Ｈ１＋、Ｈ１− 配線
Ｈ２＋、Ｈ２− 配線
Ｌ１〜Ｌ４ レンズ
Ｌ１ｆ〜Ｌ４ｆ フランジ部
Ｓ 開口絞り
ＳＭ 遮光マスク
Ｗ ワイヤ
【図１】
2007150988.tif 000003
【図２】
2007150988.tif 000004
【図３】
2007150988.tif 000005
【図４】
2007150988.tif 000006
【図５】
2007150988.tif 000007
【図６】
2007150988.tif 000008